【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
パートナー間の関係に従って、無線アクセスネットワーク（ＲＡＮ）リソースを割り当てる方法であって、
前記パートナーの各々にコミットされたＲＡＮリソースのブレークダウンを維持することと、
前記パートナーの各々にコミットされた前記ＲＡＮリソースの余剰容量と前記ＲＡＮリソースの全体の予備容量とを評価することと、ここにおいて、前記ＲＡＮリソースの前記全体の予備容量を評価することは、前記リソースの１つまたは複数のトラフィッククラス（ＴＣ）が、最大遅延許容範囲に達するまでに、どれだけの追加のトラフィックが処理されうるかを推定することを含む、
前記評価および前記関係に従って、前記ＲＡＮリソースを割り当てることと
を備える方法。
【請求項２】
無線ベアラの評価されたリソース要件が、前記ＲＡＮリソースの前記全体の予備容量と、他のパートナーにコミットされた前記ＲＡＮリソースの余剰容量とを超えない場合に、パートナーに対応する前記無線ベアラを承認すること
をさらに備える、請求項１に記載の方法。
【請求項３】
前記パートナーのうちの１つまたはネットワークエンティティのうちの少なくとも１つから共有ＲＡＮリソースの所有権のブレークダウンを受信することによって、どのように前記ＲＡＮリソースが割り当てられるかを定義する、前記パートナー間の前記関係を決定すること
をさらに備える、請求項１に記載の方法。
【請求項４】
前記パートナー間の関係は、前記ＲＡＮリソースの非対称の共有を定義する、請求項１に記載の方法。
【請求項５】
前記ＲＡＮリソースを割り当てることは、
無線ベアラの評価されたリソース要件が、前記全体の予備容量を超えない場合に、パートナーに対応する前記無線ベアラを承認すること
を備える、請求項１に記載の方法。
【請求項６】
前記評価および前記関係に基づいて、前記ＲＡＮリソースを割り当てることは、
前記ＲＡＮリソースのトラフィッククラス（ＴＣ）のどのパケットをワイヤレスデバイスに送信するかを決定すること
を備える、請求項１に記載の方法。
【請求項７】
前記ＴＣのどのパケットを送信するかを決定することは、
前記パケットが待ち行列中で過ごした時間、または前記パケットがそのトラフィッククラス（ＴＣ）に基づく許容される遅延を超えるまでに残っている時間、のうちの少なくとも１つに基づいて、前記ＲＡＮリソースのパケットを送信すること
を備える、請求項６に記載の方法。
【請求項８】
前記ＴＣのどのパケットを送信するかを決定することは、
最も低い遅延許容範囲を有するパケットを送信すること
を備える、請求項７に記載の方法。
【請求項９】
前記評価および前記関係に基づいて、前記ＲＡＮリソースを割り当てることは、
サービス品質（ＱｏＳ）制約が、前記ＲＡＮリソースのすべてのトラフィックフローについて満たされることができない場合に、前記ＲＡＮリソースのトラフィッククラス（ＴＣ）のどのパケットを消去するかを決定すること
を備える、請求項１に記載の方法。
【請求項１０】
ＱｏＳ制約が、前記ＲＡＮリソースのすべてのトラフィックフローについて満たされることができない場合に、前記ＲＡＮリソースのＴＣのどのパケットを消去するかを決定することは、
最も長い遅延許容範囲を有するパケットを消去すること
を備える、請求項９に記載の方法。
【請求項１１】
ＱｏＳ制約が、前記ＲＡＮリソースのすべてのトラフィックフローについて満たされることができない場合に、前記ＲＡＮリソースのＴＣのどのパケットを消去するかを決定することは、
それの対応するＴＣのサービスに対する最も少ない影響に基づいて、パケットを消去すること
を備える、請求項９に記載の方法。
【請求項１２】
パートナー間の前記決定された関係に基づいて、失敗したＱｏＳインシデントを配分すること、ここにおいて、前記決定された関係は、プレミアムサービスプロバイダに前記失敗したＱｏＳインシデントを不均衡に配分する、
をさらに備える、請求項９に記載の方法。
【請求項１３】
前記プレミアムサービスプロバイダは、前記パートナーのうちのプライマリパートナーである、請求項１２に記載の方法。
【請求項１４】
前記プレミアムサービスプロバイダは、前記パートナーのうちの非プライマリパートナーである、請求項１２に記載の方法。
【請求項１５】
パートナー間の関係に従って、無線アクセスネットワーク（ＲＡＮ）リソースを割り当てるための装置であって、
前記パートナーの各々にコミットされたＲＡＮリソースのブレークダウンを維持するための手段と、
前記パートナーの各々にコミットされた前記ＲＡＮリソースの余剰容量と前記ＲＡＮリソースの全体の予備容量とを評価するための手段と、ここにおいて、前記ＲＡＮリソースの前記全体の予備容量を評価するための手段は、前記リソースの１つまたは複数のトラフィッククラス（ＴＣ）が、最大遅延許容範囲に達するまでに、どれだけの追加のトラフィックが処理されうるかを推定するための手段を含む、
前記評価および前記関係に従って、前記ＲＡＮリソースを割り当てるための手段と
を備える装置。
【請求項１６】
少なくとも１つのコンピュータに請求項１乃至１４のうちのいずれか１項にしたがって方法を実行させるための実行可能な命令を備えるコンピュータ可読媒体。
【手続補正２】
【補正対象書類名】明細書
【補正対象項目名】００９４
【補正方法】変更
【補正の内容】
【００９４】
[0105]  開示された実施形態の上記説明は、いかなる当業者であっても、本開示の製造または使用を可能にするように提供される。これら実施形態への様々な修正は、当業者にとって容易に明らかとなり、本明細書で定義した一般的な原理は、本開示の趣旨または範囲から逸脱することなく他の実施形態に適用されうる。したがって、本開示は、本明細書に示された実施形態に限定されるようには意図されず、本明細書に開示される原理および新規な特徴と一致する最も広い範囲を与えられることとなる。
なお、本願の出願当初の請求項と同一の記載を以下に付記する。
［Ｃ１］ パートナー間の関係に従って、無線アクセスネットワーク（ＲＡＮ）リソースを割り当てる方法であって、
前記パートナーの各々にコミットされたＲＡＮリソースのブレークダウンを維持することと、
前記パートナーの各々にコミットされた前記ＲＡＮリソースの余剰容量と前記ＲＡＮリソースの全体の予備容量とを評価することと、
前記評価および前記関係に従って、前記ＲＡＮリソースを割り当てることと
を備える方法。
［Ｃ２］ 無線ベアラの評価されたリソース要件が、前記ＲＡＮリソースの前記全体の予備容量と、他のパートナーにコミットされた前記ＲＡＮリソースの余剰容量とを超えない場合に、パートナーに対応する前記無線ベアラを承認すること
をさらに備える、Ｃ１に記載の方法。
［Ｃ３］ 前記パートナーのうちの１つまたはネットワークエンティティのうちの少なくとも１つから共有ＲＡＮリソースの所有権のブレークダウンを受信することによって、どのように前記ＲＡＮリソースが割り当てられるかを定義する、前記パートナー間の前記関係を決定すること
をさらに備える、Ｃ１に記載の方法。
［Ｃ４］ 前記パートナー間の関係は、前記ＲＡＮリソースの非対称の共有を定義する、Ｃ１に記載の方法。
［Ｃ５］ 前記ＲＡＮリソースの前記全体の予備容量を評価することは、前記リソースの１つまたは複数のトラフィッククラス（ＴＣ）が、最大遅延許容範囲に達するまでに、どれだけの追加のトラフィックが処理されうるかを推定することを含む、Ｃ１に記載の方法。
［Ｃ６］ 前記ＲＡＮリソースを割り当てることは、
無線ベアラの評価されたリソース要件が、前記全体の予備容量を超えない場合に、パートナーに対応する前記無線ベアラを承認すること
を備える、Ｃ５に記載の方法。
［Ｃ７］ 前記評価および前記関係に基づいて、前記ＲＡＮリソースを割り当てることは、
前記ＲＡＮリソースのトラフィッククラス（ＴＣ）のどのパケットをワイヤレスデバイスに送信するかを決定すること
を備える、Ｃ１に記載の方法。
［Ｃ８］ 前記ＴＣのどのパケットを送信するかを決定することは、
前記パケットが待ち行列中で過ごした時間、または前記パケットがそのトラフィッククラス（ＴＣ）に基づく許容される遅延を超えるまでに残っている時間、のうちの少なくとも１つに基づいて、前記ＲＡＮリソースのパケットを送信すること
を備える、Ｃ７に記載の方法。
［Ｃ９］ 前記ＴＣのどのパケットを送信するかを決定することは、
最も低い遅延許容範囲を有するパケットを送信すること
を備える、Ｃ８に記載の方法。
［Ｃ１０］ 前記評価および前記関係に基づいて、前記ＲＡＮリソースを割り当てることは、
サービス品質（ＱｏＳ）制約が、前記ＲＡＮリソースのすべてのトラフィックフローについて満たされることができない場合に、前記ＲＡＮリソースのトラフィッククラス（ＴＣ）のどのパケットを消去するかを決定すること
を備える、Ｃ１に記載の方法。
［Ｃ１１］ ＱｏＳ制約が、前記ＲＡＮリソースのすべてのトラフィックフローについて満たされることができない場合に、前記ＲＡＮリソースのＴＣのどのパケットを消去するかを決定することは、
最も長い遅延許容範囲を有するパケットを消去すること
を備える、Ｃ１０に記載の方法。
［Ｃ１２］ ＱｏＳ制約が、前記ＲＡＮリソースのすべてのトラフィックフローについて満たされることができない場合に、前記ＲＡＮリソースのＴＣのどのパケットを消去するかを決定することは、
それの対応するＴＣのサービスに対する最も少ない影響に基づいて、パケットを消去すること
を備える、Ｃ１０に記載の方法。
［Ｃ１３］ パートナー間の前記決定された関係に基づいて、失敗したＱｏＳインシデントを配分すること、ここにおいて、前記決定された関係は、プレミアムサービスプロバイダに前記失敗したＱｏＳインシデントを不均衡に配分する、
をさらに備える、Ｃ１０に記載の方法。
［Ｃ１４］ 前記プレミアムサービスプロバイダは、前記パートナーのうちのプライマリパートナーである、Ｃ１３に記載の方法。
［Ｃ１５］ 前記プレミアムサービスプロバイダは、前記パートナーのうちの非プライマリパートナーである、Ｃ１３に記載の方法。
［Ｃ１６］ パートナー間の関係に従って、無線アクセスネットワーク（ＲＡＮ）リソースを割り当てるための装置であって、
前記パートナーの各々にコミットされたＲＡＮリソースのブレークダウンを維持するための手段と、
前記パートナーの各々にコミットされた前記ＲＡＮリソースの余剰容量と前記ＲＡＮリソースの全体の予備容量とを評価するための手段と、
前記評価および前記関係に従って、前記ＲＡＮリソースを割り当てるための手段と
を備える装置。
［Ｃ１７］ 無線ベアラの評価されたリソース要件が、前記ＲＡＮリソースの前記全体の予備容量と、他のパートナーにコミットされた前記ＲＡＮリソースの余剰容量とを超えない場合に、パートナーに対応する前記無線ベアラを承認するための手段
をさらに備える、Ｃ１６に記載の装置。
［Ｃ１８］ 前記パートナーのうちの１つまたはネットワークエンティティのうちの少なくとも１つから共有ＲＡＮリソースの所有権のブレークダウンを受信することによって、どのように前記ＲＡＮリソースが割り当てられるかを定義する、前記パートナー間の前記関係を決定するための手段
をさらに備える、Ｃ１６に記載の装置。
［Ｃ１９］ 前記パートナー間の関係は、前記ＲＡＮリソースの非対称の共有を定義する、Ｃ１６に記載の装置。
［Ｃ２０］ 前記ＲＡＮリソースの前記全体の予備容量を評価するための前記手段は、前記リソースの１つまたは複数のトラフィッククラス（ＴＣ）が、最大遅延許容範囲に達するまでに、どれだけの追加のトラフィックが処理されうるかを推定することを含む、Ｃ１６に記載の装置。
［Ｃ２１］ 前記ＲＡＮリソースを割り当てるための前記手段は、無線ベアラの評価されたリソース要件が、前記全体の予備容量を超えない場合に、パートナーに対応する前記無線ベアラを承認するように構成される、
を備える、Ｃ２０に記載の装置。
［Ｃ２２］ 前記評価および前記関係に基づいて、前記ＲＡＮリソースを割り当てるための前記手段は、前記ＲＡＮリソースのトラフィッククラス（ＴＣ）のどのパケットをワイヤレスデバイスに送信するかを決定するように構成される、Ｃ１６に記載の装置。
［Ｃ２３］ 前記ＴＣのどのパケットを送信するかを決定することは、
前記パケットが待ち行列中で過ごした時間、または前記パケットがそのトラフィッククラス（ＴＣ）に基づく許容される遅延を超えるまでに残っている時間、のうちの少なくとも１つに基づいて、前記ＲＡＮリソースのパケットを送信すること
を備える、Ｃ２２に記載の装置。
［Ｃ２４］ 前記ＴＣのどのパケットを送信するかを決定することは、
最も低い遅延許容範囲を有するパケットを送信すること
を備える、Ｃ２３に記載の装置。
［Ｃ２５］ 前記評価および前記関係に基づいて、前記ＲＡＮリソースを割り当てるための前記手段は、サービス品質（ＱｏＳ）制約が、前記ＲＡＮリソースのすべてのトラフィックフローについて満たされることができない場合に、前記ＲＡＮリソースのトラフィッククラス（ＴＣ）のどのパケットを消去するかを決定するように構成される、Ｃ１６に記載の装置。
［Ｃ２６］ ＱｏＳ制約が、前記ＲＡＮリソースのすべてのトラフィックフローについて満たされることができない場合に、前記ＲＡＮリソースのＴＣのどのパケットを消去するかを決定することは、
最も長い遅延許容範囲を有するパケットを消去すること
を備える、Ｃ２５に記載の装置。
［Ｃ２７］ ＱｏＳ制約が、前記ＲＡＮリソースのすべてのトラフィックフローについて満たされることができない場合に、前記ＲＡＮリソースのＴＣのどのパケットを消去するかを決定することは、
それの対応するＴＣのサービスに対する最も少ない影響に基づいて、パケットを消去すること
を備える、Ｃ２５に記載の装置。
［Ｃ２８］ パートナー間の前記決定された関係に基づいて、失敗したＱｏＳインシデントを配分するための手段、ここにおいて、前記決定された関係は、プレミアムサービスプロバイダに前記失敗したＱｏＳインシデントを不均衡に配分する、
をさらに備える、Ｃ２５に記載の装置。
［Ｃ２９］ 前記プレミアムサービスプロバイダは、前記パートナーのうちのプライマリパートナーである、Ｃ２８に記載の装置。
［Ｃ３０］ 前記プレミアムサービスプロバイダは、前記パートナーのうちの非プライマリパートナーである、Ｃ２８に記載の装置。
［Ｃ３１］ パートナー間の関係に従って、無線アクセスネットワーク（ＲＡＮ）リソースを割り当
てるための装置であって、
前記パートナーの各々にコミットされたＲＡＮリソースのブレークダウンを維持し、
前記パートナーの各々にコミットされた前記ＲＡＮリソースの余剰容量と前記ＲＡＮリソースの全体の予備容量とを評価し、
前記評価および前記関係に従って、前記ＲＡＮリソースを割り当てる
ように構成された少なくとも１つのプロセッサと、
前記少なくとも１つのプロセッサに結合されたメモリと、
を備える装置。
［Ｃ３２］ パートナー間の関係に従って、無線アクセスネットワーク（ＲＡＮ）リソースを割り当てるためのコンピュータプログラム製品であって、前記コンピュータプログラム製品は、その上に記憶されたコードを有する非一時的なコンピュータ可読媒体を備え、前記コードは、
前記パートナーの各々にコミットされたＲＡＮリソースのブレークダウンを維持することと、
前記パートナーの各々にコミットされた前記ＲＡＮリソースの余剰容量と前記ＲＡＮリソースの全体の予備容量とを評価することと、
前記評価および前記関係に従って、前記ＲＡＮリソースを割り当てることと
のために１つまたは複数のプロセッサによって実行可能である、コンピュータプログラム製品。